(57)【特許請求の範囲】
【請求項１】
可撓性のシート材から成る物品収納ケースであって、
矩形の底面板と、
前記底面板の一辺からこの順に延設された第１襠部、上面板、及び第２襠部と、
前記底面板の他の辺のうちの対向する二辺からそれぞれ襠部を介さずに延設された一対の押さえ板と、
を有し、
前記各押さえ板を折り返して前記底面板の上方に配置すると共に、前記第１襠部及び第２襠部がそれぞれ前記底面板と垂直になるように前記底面板と第１襠部、第１襠部と上面板、上面板と第２襠部の間の折り線を折り曲げて前記押さえ板を底面板、第１襠部、上面板、及び第２襠部で囲繞することにより組み立てられ、前記底面板と押さえ板の間に物品が収納され、
前記各押さえ板は、それぞれの中間部が前記物品の上縁に当接すると共に該先端部が前記上面板によって下方に押し下げられた状態となって撓められ、その弾性力によって前記物品を前記底面板に押し付けることを特徴とする物品収納ケース。
【請求項２】
可撓性のシート材から成る物品収納ケースであって、
矩形の底面板と、
前記底面板の一辺からこの順に延設された第１襠部及び上面板と、
前記底面板の前記一辺に対向する辺から延設された第２襠部と、
前記底面板の他の対向する二辺からそれぞれ襠部を介さずに延設された一対の押さえ板と、
を有し、
前記各押さえ板を折り返して前記底面板の上方に配置すると共に、前記第１襠部及び第２襠部がそれぞれ前記底面板と垂直になるように前記底面板と第１襠部、第１襠部と上面板、底面板と第２襠部の間の折り線を折り曲げて前記押さえ板を前記底面板、第１襠部、上面板、及び第２襠部で囲繞することにより組み立てられ、前記底面板と押さえ板の間に物品が収納され、
前記各押さえ板は、それぞれの中間部が前記物品の上縁に当接すると共に該先端部が前記上面板によって下方に押し下げられた状態となって撓められ、その弾性力によって前記物品を前記底面板に押し付けることを特徴とする物品収納ケース。
【請求項３】
請求項１又は２に記載の物品収納ケースを形成するためのブランクシート。
【発明の詳細な説明】
【技術分野】
【０００１】
本発明は、物品の保管又は輸送にあたり該物品を収納して保護するための物品収納ケースに関する。
【背景技術】
【０００２】
例えば通信販売等の分野において、書籍やパッケージ入りのＣＤ、ＤＶＤソフトといった厚みのある平板状の物品を配送する際には、該物品の保護及び取り扱いの便宜のために、薄い箱状のケースに該物品を収容して配送している（例えば、特許文献１を参照）。このようなケースは、一般に所定形状に切り出された一枚のシート材を折り曲げることによって箱形に組み立てられており、該シート材としては、物品を輸送時の衝撃から保護するため、段ボール等の衝撃吸収性を有する厚手の素材が用いられる場合が多い。
【先行技術文献】
【特許文献】
【０００３】
【特許文献１】実用新案登録第3088447号公報
【発明の概要】
【発明が解決しようとする課題】
【０００４】
しかしながら、こうした従来の物品収納ケースは、図１０に示すように物品５０が収容される空間が直方体状となっており、ケース４０と物品５０の間に隙間がある場合には、輸送時にケース４０の内部で物品５０が動いてしまう。場合によってはこれにより、物品５０に傷や凹みなどの損傷が生じる可能性がある。そのため、従来はケースを物品とほぼ同じ大きさとするか、ケースと物品の間に発泡スチロール等から成る緩衝材を充填するなどしてケース内での物品の移動を防止していた。【０００５】
しかし、書籍のように大きさや厚みが多様な物品を取り扱う場合、各物品に応じたサイズの異なるケースを用意するのは困難である。また、緩衝材を用いる場合には、その分のコストが掛かる上、該緩衝材は配送先で不要物となり廃棄されるため、省資源の観点から望ましくない。【０００６】
本発明は上記課題に鑑みてなされたものであり、その目的とするところは、輸送時におけるケース内での物品の移動を緩衝材等を用いることなく効果的に防止することができ、且つ様々なサイズの物品に対応可能な物品収納ケースを提供することにある。
【課題を解決するための手段】
【０００７】
上記課題を解決するために成された本発明に係る物品収納ケースは、可撓性のシート材から成る物品収納ケースであって、
矩形の底面板と、
前記底面板の一辺からこの順に延設された第１襠部、上面板、及び第２襠部と、
前記底面板の他の辺のうちの対向する二辺からそれぞれ襠部を介さずに延設された一対の押さえ板と、
を有し、
前記各押さえ板を折り返して前記底面板の上方に配置すると共に、前記第１襠部及び第２襠部がそれぞれ前記底面板と垂直になるように前記底面板と第１襠部、第１襠部と上面板、上面板と第２襠部の間の折り線を折り曲げて前記押さえ板を底面板、第１襠部、上面板、及び第２襠部で囲繞することにより組み立てられ、前記底面板と押さえ板の間に物品が収納され、
前記各押さえ板は、それぞれの中間部が前記物品の上縁に当接すると共に該先端部が前記上面板によって下方に押し下げられた状態となって撓められ、その弾性力によって前記物品を前記底面板に押し付けることを特徴としている。
【０００８】
また、本発明に係る物品収納ケースの別の態様のものは、可撓性のシート材から成る物品収納ケースであって、
矩形の底面板と、
前記底面板の一辺からこの順に延設された第１襠部及び上面板と、
前記底面板の前記一辺に対向する辺から延設された第２襠部と、
前記底面板の他の対向する二辺からそれぞれ襠部を介さずに延設された一対の押さえ板と、
を有し、
前記各押さえ板を折り返して前記底面板の上方に配置すると共に、前記第１襠部及び第２襠部がそれぞれ前記底面板と垂直になるように前記底面板と第１襠部、第１襠部と上面板、底面板と第２襠部の間の折り線を折り曲げて前記押さえ板を前記底面板、第１襠部、上面板、及び第２襠部で囲繞することにより組み立てられ、前記底面板と押さえ板の間に物品が収納され、
前記各押さえ板は、それぞれの中間部が前記物品の上縁に当接すると共に該先端部が前記上面板によって下方に押し下げられた状態となって撓められ、その弾性力によって前記物品を前記底面板に押し付けることを特徴としている。
【０００９】
上記構成から成る物品収納ケースに物品を収納すると、上記一対の押さえ板の下面が物品に当接し、その弾性によって物品が底面板に押し付けられる。そのため、物品は押さえ板と底面板の間に挟持されることとなり、これによってケース内での物品の移動が防止される。また、前記シート材は可撓性を有しており、押さえ板は物品の寸法や形状に応じて変形できるため、一種類のサイズのケースで種々の寸法や形状の物品に対応することができる。【００１０】
また、本発明は、上記いずれかの物品収納ケースを形成するためのブランクシートをも提供する。このブランクシートは、上記物品収納ケースの構造を形成するために、板状のシート材から前記底面板、第１襠部、上面板、第２襠部、及び押さえ板を一体的に打ち抜いたものであり、各々の境界にはそれぞれプレス加工、ミシン目加工、半切れ加工、又はプリント加工等によって折り線が形成される。
【発明の効果】
【００１１】
以上のように、本発明に係る物品収納ケースによれば、輸送時等におけるケース内での物品の移動を、緩衝材等を用いることなく効果的に防止することができる。更に、一種類のケースで様々なサイズの物品に対応することができるため、物品に応じて多様なサイズのケースを用意する必要がない。また、一つの容器を種々の物品の保管や輸送において繰り返し使用することも可能となる。そのため、輸送コストを低減できると共に、省資源化を図ることができる。
【図面の簡単な説明】
【００１２】
【図１】本発明の一実施例に係る物品収納ケースを示す斜視図。
【図２】同実施例に係る物品収納ケースの展開図。
【図３】同実施例における物品の梱包手順を示す図。
【図４】同実施例における物品の梱包手順を示す図。
【図５】図１の断面図であり、（ａ）はＸ−Ｘ矢視断面図、（ｂ）はＹ−Ｙ矢視断面図である。
【図６】同実施例の物品収納ケースを示す断面図であり、（ａ）は物品が小さい場合を、（ｂ）は物品が厚い場合を示す。
【図７】本発明に係る物品収納ケースの別の実施例を示す展開図。
【図８】本発明に係る物品収納ケースの更に別の実施例を示す展開図。
【図９】同実施例に係る物品収納ケースの斜視図。
【図１０】従来の物品収納ケースの断面図。
【発明を実施するための形態】
【００１３】
以下、本発明を実施するための形態について実施例に基づいて説明する。
【実施例１】
【００１４】
図１は、本発明の一実施例に係る物品収納ケース１０の斜視図であり、図２は該物品収納ケースの展開図である。【００１５】
本実施例に係る物品収納ケース１０は、図１のような薄型の箱を形成するものであり、底面板１１、第１襠部１４、上面板１５、第２襠部１６で形成される角筒体の両端部を一対の押さえ板１２、１３によって閉塞した構成となっている。以下、本実施例に係る物品収納ケース１０を組み立てた状態で、底面板１１側を下、上面板１５側を上、押さえ板１２側を前、押さえ板１３側を後、第１襠部１４を右、第２襠部１６を左として上下・前後・左右を定義する。また、前後方向の寸法を長さ、左右方向の寸法を幅、上下方向の寸法を高さと呼ぶ。【００１６】
本実施例に係る物品収納ケース１０は、段ボール紙を図２のように打ち抜いたブランクシートによって一体に形成されている。底面板１１の短手方向の対向する二辺には、それぞれ折り線ａ、ｂを介して押さえ板１２、１３が連接されている。また、底面板１１の長手方向の一辺には、折り線ｃを介して第１襠部１４が連接され、第１襠部１４には、折り線ｃに平行な折り線ｄを介して上面板１５が連接されている。更に、該上面板１５には折り線ｄに平行な折り線ｅを介して第２襠部１６が連接され、第２襠部１６には折り線ｅに平行な折り線ｆを介してフラップ１７が連接されている。【００１７】
底面板１１と上面板１５は同一の幅を有する長方形の形状を有し、その長さは上面板１５の方が底面板１１よりも大きくなっている。また、第２襠部１６及びフラップ１７の長さは、上面板１５の長さと同一である。第１襠部１４は台形形状を有し、上底の長さが上面板１５の長さと、下底の長さが底面板１１の長さと同一であり、その高さは第２襠部１６の高さと同一である。なお、第１襠部１４及び第２襠部１６の高さは、収容しようとする物品の厚さ以上で該物品の厚さの２倍以下程度とすることが望ましい。また、押さえ板１２、１３は底面板１１と同一の幅を有し、その長さは、それぞれ収容しようとする物品の厚さ以上で底面板１１の長さの１／２以下とすることが望ましい。【００１８】
上記の各折れ線はいずれも谷折りされるものであり、組立時に容易に折り曲げることができるように予めプレス加工が施されている。特に、折り線ａ、ｂは、折り曲げ性を向上するため、プレス加工とミシン目加工とを組み合わせた所謂リード罫で構成されている。【００１９】
上記構成から成る物品収納ケース１０によって物品を梱包する際の手順について説明する。まず、底面板１１の中央に収納しようとする物品３０を乗せ、押さえ板１２、１３を折り返して物品３０の上に被せる（図３）。次に、第１襠部１４を底面板１１に対して垂直に起立させて物品３０の右側面を覆うと共に、上面板１５を第１襠部１４に対して垂直に折り曲げて物品３０の上面及び押さえ板１２、１３を該上面板１５で覆う（図４）。そして、第２襠部１６を上面板１５に対して垂直に折り曲げて物品３０の左側面を覆い、最後に、フラップ１７を第２襠部１６に対して垂直に折り曲げて底面板１１の下に回り込ませ、その先端を粘着テープや接着剤等で底面板１１に固定する。【００２０】
図５は、本実施例に係る物品収納ケース１０に物品を収納した状態を示す断面図であり、図５（ａ）は図１のＸ−Ｘ矢視断面図、図５（ｂ）はＹ−Ｙ矢視断面図である。図５（ｂ）に示すように、ケース１０内に物品３０を収容すると、押さえ板１２、１３は、その中間部が物品３０の前端又は後端の上縁に当接し、その先端部が上面板１５によって下方に押し下げられた状態となる。その結果、押さえ板１２、１３が撓められ、その弾性力によって物品３０が底面板１１に押し付けられる。従って、物品３０は、底面板１１と押さえ板１２、１３によって挟持されることとなり、これによりケース１０内での物品３０の移動が防止される。【００２１】
また、図６に示すように、押さえ板１２、１３は物品３０の長さや厚さに応じて変形することができるため、同一サイズのケースで種々の寸法、形状の物品に対応することができ、包装に係るコストを抑えることができる。また、収容する物品の寸法及び形状に拘わらず物品収納ケースの外形寸法を統一することができるため、保管時や輸送時の管理が容易になるという効果もある。【００２２】
また更に、本実施例に係る物品収納ケースでは、上述したように上面板１５、第１襠部１４の上辺、及び第２襠部１６の長さが底面板１１の長さよりも大きくなっているため、ケース１０の四隅、すなわち押さえ板１２、１３の付け根の左右両側に隙間が生じにくくなっている。これにより、保管時や輸送時においてケース１０の内部に埃などの異物が侵入するのを防止することができる。
【実施例２】
【００２３】
図７に本発明に係る物品収納ケースの他の実施例を示す。これは、第２襠部１６を上面板１５でなく、底面板１１に連接させたものである。図７に示すように、第２襠部１６は、折り線ｈを介して底面板１１に連接され、上面板１５には、折り線ｇを介して第２襠部１６とほぼ同一の高さを有するフラップ１８が延出される。また、折り線ｈの中心部には所定の長さに亘って長孔２０が設けられ、フラップ１８には長孔２０に差込可能な舌片１９が連接される。【００２４】
上記の物品収納ケース１０によって物品を梱包する際には、上記と同様に底面板１１に物品３０を載せ、押さえ板１２、１３を折り返して物品３０の上に乗せた後、第１襠部１４と第２襠部１６を底面板１１に対して垂直に起立させる。そして、上面板１５を第１襠部１４に対して垂直に曲げて物品３０と押さえ板１２、１３を覆い、更に、フラップ１８を上面板１５に対して垂直に折り曲げて第２襠部１６の外側に重ね、舌片１９を長孔２０に差し入れて係止する。【００２５】
また、図８、９に示すように、上面板１５を左右に分割した構成としてもよい。この場合、図８に示すように、右側の上面板１５ｂは折り線ｄを介して第１襠部１４に連接され、左側の上面板１５ａは折り線ｉを介して第２襠部１６に連接される。このような構成の物品収納ケース１０によって物品３０を梱包する際には、上記と同様に、底面板１１に物品３０を載せ、その上に押さえ板１２、１３を被せた上で、第１襠部１４及び第２襠部１６を底面板１１から垂直に立ち上げる。そして、左右の上面板１５ａ、ｂを第１襠部１４及び第２襠部１６に対してそれぞれ垂直に折り曲げて押さえ板１２、１３の上に被せ、粘着テープ等で左右の上面板１５ａ、ｂを互いに固定する。【００２６】
以上、実施例を用いて本発明を実施するための形態について説明を行ったが、本発明は上記実施例に限定されるものではなく、本発明の趣旨の範囲で適宜変更が許容されるものである。例えば、本発明に係る物品収納ケースを形成する素材は、可撓性を有するシート材であればよく、上記の段ボール紙の他に、例えば、厚紙、厚手のプラスチックシート、又はプラスチック段ボール等を用いることができる。【００２７】
なお、上記シート材として段ボール紙又はプラスチック段ボールを用いる場合、底面板から各押さえ板が延伸する方向（即ち、図２の矢印Ａ方向）と段ボールの波目（段目）の方向が平行になるようにすることが望ましい。このようにすれば、波目を押さえ板の延伸方向と垂直にした場合に比べて押さえ板の強度が高くなり、物品をより安定的に保持することができる。また、前記段ボールは、波板状に加工した中芯の両面に平板状のライナーを貼り合わせた所謂両段ボールであってもよく、前記中芯の片面のみにライナーを貼り合わせた所謂片段ボールであってもよいが、本発明に係る物品収納ケースを片段ボールで形成し、中芯側がケースの内側になるよう構成すると物品がケース内で滑り難くなり、より安定的に物品を保持することができる。
【符号の説明】
【００２８】
１０…物品収納ケース
１１…底面板
１２、１３…押さえ板
１４…第１襠部
１５…上面板
１６…第２襠部
１７…フラップ
３０…物品
【図１】
0005422671.tif 000002
【図２】
0005422671.tif 000003
【図３】
0005422671.tif 000004
【図４】
0005422671.tif 000005
【図５】
0005422671.tif 000006
【図６】
0005422671.tif 000007
【図７】
0005422671.tif 000008
【図８】
0005422671.tif 000009
【図９】
0005422671.tif 000010
【図１０】
0005422671.tif 000011